(57)【特許請求の範囲】
【請求項１】
細長い基材を保護するための巻付けられる織物スリーブであって、前記スリーブは織られたガラス繊維糸およびハイブリッド糸で作られており、
前記スリーブは幅よりも大きい長さを有し、また実質的に平行な側端を有しており、
前記ハイブリッド糸は充填（横）方向に延在し、ガラス繊維又はセラミック繊維と、弾性熱歪みを与えることができる重合材料、曲げ可能なステンレス鋼の弾性ワイヤーおよびそれらの組合わせで構成される群に含まれる材料とで本質的に構成されており、
前記ハイブリッド糸は弾性的な輪を形成するために弾性歪みを与えられ、このハイブリッド糸により、織物両端部が隣接された状態の輪が形成され、外力を加えることによりこの両端部は離れ、そして、外力がなくなると、再度このハイブリッド糸により、両端部が元の隣接した状態に復元するようになされた織物スリーブ。
【請求項２】
請求項１に記載された巻付けられるスリーブであって、ハイブリッド糸が曲げ可能なステンレス鋼の弾性ワイヤーで構成された織物スリーブ。
【請求項３】
請求項１に記載された巻付けられるスリーブであって、ハイブリッド糸が熱的に歪みを与えることができるワイヤーで構成された織物スリーブ。
【請求項４】
請求項１に記載された巻付けられるスリーブであって、ハイブリッド糸がガラス繊維糸と熱的に歪みを与えることができる重合材料との組合わせで構成されている織物スリーブ。
【請求項５】
請求項１に記載された巻付けられるスリーブであって、ガラス繊維糸がコアー糸であり、重合物質がコアー糸を取り巻いている織物スリーブ。
【請求項６】
請求項１に記載された巻付けられるスリーブであって、反射フィルムが前記スリーブの外面に接着された織物スリーブ。
【請求項７】
請求項４に記載された巻付けられるスリーブであって、前記ガラス繊維糸がバルキー糸（bulky yarn）であり、縦糸および充填（横）糸は織上げられて前記細長い基材のための断熱層を形成している織物スリーブ。
【請求項８】
請求項４に記載された巻付けられるスリーブであって、前記ガラス繊維糸が湿分不浸透被覆を有する織物スリーブ。
【請求項９】
請求項１に記載された巻付けられるスリーブであって、ハイブリッド糸が９８〜３２８テクスであって、ガラス繊維糸を含んでなる織物スリーブ。
【請求項１０】
請求項９に記載された巻付けられるスリーブであって、糸の全組成に対するポリエステルが２０〜８０重量％である織物スリーブ。
【請求項１１】
請求項１に記載された巻付けられるスリーブであって、ハイブリッド糸がガラス糸の中心コアーと、前記中心コアーを取巻くワイヤーおよび重合材料とで構成された織物スリーブ。
【請求項１２】
請求項１に記載された巻付けられるスリーブであって、ハイブリッド糸が重合材料で構成された中心コアーと、前記中心コアーを取巻くガラス繊維糸とで構成される織物スリーブ。
【発明の詳細な説明】
本発明は管状織物製品に係わり、特に自動車の排出ガス再循環装置およびワイヤリングハーネスのような細長い対象物の熱保護を行う織物スリーブに関する。
発明の背景
ケーブル、ホースなどの細長い可撓物品を摩耗や高温などから保護するために、編物もしくは織物のスリーブを使用することはこの分野で周知である。広くさまざまなスリーブ製品から選んだ幾つかの例は、ベントレー・ハーリス・インコーポレーテッド社のような製造元から購入できる。そのような１つの織物スリーブはエクスパンド（ＥＸＰＡＮＤＯ）なる登録商標のもとで販売されている製品である。エクスパンド（登録商標）のスリーブ製品は軽量で、ケーブル組立体、ワイヤリングハーネスなどからの丈夫な物理的な保護を与える。これらの製品の多くは典型的に解放構造（オープン構造）であり、耐摩耗性を与え、空気の流通を可能にし、そして湿分が蓄えられるのを防止されている。基材はコンパクトな状態に整然と保持され、摩耗や、近くの機械の可動部材などによって個々に破損される可能性から保護される。スリーブ製品の他の形態は比較的密閉構造（クローズド構造）のもので、ガラス繊維のような材料で成る断熱糸材（ヤーン）を織って作られ、熱保護を与えることを目的としている。
上述した製品の幾つかは長手方向にスリットを形成され、また既に両端にて取付けられて緊締されている細長い物体を束ねるのに使用できるように、緊締手段を備えている。このような製品の１つはエクスパンド・ジップ（ＥＸＰＡＮＤＯＺＩＰ）なる登録商標のもとで販売されている。この製品はジッパー式緊締具を備えていて、１つまたは複数の基材を取り巻いて緊締できるようにされている。他のこのような製品は、その製品の長手の方向軸線を横断して延在する弾性歪みを与えられた（resiliently set）フィラメントを有する編み製品である。この弾性歪みを与えられたフィラメントは割りスリーブの両側縁を従動的に閉じるようにするもので、すでに設置されている細長い装置の上から簡単に取付けることができるようにされている。
この形式の製品は米国特許第５４１３１４９号に示され、説明されている。スリーブ製品の他の例は、ガラス繊維のような材料と弾性繊維とによって構成された編みスリーブを示す米国特許第４８７０８８７号、および被覆および含浸された織物テープを巻き付けることによってワイヤーまたはケーブルを保護することを開示した米国特許第４２８２２８４号に示されている。
発明の概要および目的
上述した製品は意図した目的に関して満足できることは立証されているが、容易に製造でき、緻密な織物から作られるのに有用で、不規則形状の製品に容易に取付けることができる熱覆い製品を使用するための必要性、および複雑な曲面を有するか、既に取付けられた細長い部品に取付けるための必要性がある。
本発明の製品は、「ハイブリッドヤーン」、すなわち限定するわけではないが外皮押出し糸（over-extruded yarns）、混紡糸およびＤＲＥＦ処理糸を含む１つ以上の材料成分を有する糸、の群から選ばれた糸の特徴を利用する。特に、熱可塑性（熱硬化性）の重合材料またはワイヤーと組合わされたガラスまたは他の材料の糸が好ましい。引用される糸は、耐熱性の特徴に、弾性歪みをその糸に与えることができることが組合わされている。本発明の実施において、これらのハイブリッド糸は織られて織物とされ、その織物においてハイブリッド糸は充填（横）方向に延在される。その後、ハイブリッド糸は周知の方法で弾性歪みを与えられ、ハイブリッド糸の両端は個々にフープ、すなわち輪を形成してそれらの端部は互いに弾性的に押圧され、また或る種の場合には互いに重なる関係状態にされる。
本発明の実施において、ハイブリッド糸は上述した米国特許第５４１３１４９号に記載されている技術を使用して弾性歪みを与えられことができ、その特許は参照することで本明細書に組入れられる。本明細書で使用される場合、またその特許において、「弾性歪み」または「弾性歪みを与えられる」という表現は、弾性フィラメント材に永久歪みすなわちバイアスを組合わせることを示す。このような弾性歪みは、弾性歪みを与えることのできるフィラメントを有するスリーブをマンドレル上に巻き付け、熱を加えると同時にその材料を巻き付け状態に保持することで歪みを与えることによって、典型的に与えられる。一旦歪みを与えられたならば、弾性歪みを与えられたフィラメント材は抑制する反力のない状態において歪み状態に復元する傾向を示す。
本発明を実施するためのさらに他の有用な技術は、プラスチック被覆され、または繊維を巻き付けられたステンレス鋼のような曲げ可能な弾性糸またはワイヤーを充填（横）方向に使用することを伴う。織上げ工程で使用されるスプール上のワイヤーまたは糸に高張力を付与することにより、スリーブはそれが織上げられるときに製品のまわりに巻き付くような傾向を示す。ワイヤーの使用は製品の耐熱性および耐久性を高める利点を有する。
本発明の目的は、断熱性を有するスリーブ材料、排出ガス再循環装置のような不規則形状の装置のまわりに巻き付けられるのに特に有用なスリーブ材料の製造を含む。
本発明の他の目的は、両端で他の機材に連結されている既に取付けられた細長い部品のまわりに巻き付けるのに十分に適応されるスリーブを準備することである。
本発明のさらに他の目的は、高断熱性および耐摩耗性を有する新規なスリーブ材を準備することである。
本発明のさらに他の目的は、織物端部のほつれる傾向を減少させたスリーブ材料を準備することである。
本発明の前述の、および他の目的は、縦糸方向に織り合わせたガラスまたは同様の材料またはセラミックの繊維糸と、充填（横）方向のハイブリッド糸とで構成された織物スリーブを使用することで達成される。使用されるハイブリッド糸は、ガラスまたはセラミック繊維と、弾性歪みを与えることのできる重合材料および曲げ可能なステンレス鋼の弾性ワイヤーおよびその組合わせで構成される群に含まれる材料とによって構成されるのが好ましい。ワイヤーまたはハイブリッド糸は、隣接するか重なる関係状態となるように移動する傾向を織物側縁に従動的に与える（すなわち、織物両端部を隣接した状態に保持しているが、外力を加えて互いに離れるようにすることができ、また、この外力がなくなれば、元の隣接した状態に復元する）弾性フープを形成するために、弾性歪みが与えられる。本発明の他の概念によれば、反射フィルムがスリーブの内面または外面に接着されることができる。ガラス繊維糸は湿分の不浸透性または高温耐性を有する重合材料で被覆されることができる。
方法としては、本発明はガラス繊維の縦糸と、ハイブリッド充填（横）糸とを有する織物製品を製造する織り方を伴う。本発明の方法の１つの実施例においてハイブリッド充填（横）糸は、織物を加熱した折曲げ装置に載置し、熱を加えて充填（横）糸を巻付き状態すなわち折曲げ状態に歪ませた後、冷却してその製品が歪んだ状態に弾性的に保持されるようにすることで、弾性的な歪みを与えられる。第２実施例によれば、この製品は有ひ織機（shuttle loom）で１本以上のワイヤーを充填（横）糸として使用して織上げられる。ワイヤーは事前緊張スプールから供給される。張力を与えたワイヤースプールの充填（横）糸を織上げることが弾性的な歪みを与えることが見出された。この弾性的な歪みが織物の両端を隣接状態、また重なり状態となすようにバイアスする。
【図面の簡単な説明】
図１は本発明により形成されたスリーブ製品を示し、また
図２は本発明の方法によりスリーブを製造する段階を概略的に示す。
発明の詳細な説明
図１は本発明により形成されたスリーブの１例の斜視図である。符号１０で識別されるスリーブは織上げて作られるのが好ましく、またガラス繊維の縦糸１１と、例えばＤＲＥＦ処理によって形成された１本以上のガラス／ポリエステルの充填（横）糸１２とで構成されている。図示例では、縦糸は約４０２テクスである。ガラス／ポリエステル充填（横）糸は約４０２テクスである。ガラス／ポリエステル充填（横）糸はガラス繊維の中心コアーを有し、この中心コアーに織られていないポリエステル銀が巻き付けられている。ポリエステルの範囲はＤＲＥＦ糸の全重量の３９重量％〜６６重量％であるが、約２０重量％〜約８０重量％の全糸に対するポリエステルの組成が本発明の目的に好適であると考えられる。ＤＲＥＦ充填（横）糸は９８〜８２３テクスの範囲である。縦糸方向の２５．４ｍｍ（１インチ）当たり約１５〜３５本の糸が、また２５．４ｍｍ（１インチ）当たり約１０〜３０本の充填（横）糸がある。
上述例と同じ縦糸を使用した本発明の他の形態において、充填（横）糸は約０．１〜約０．１５ｍｍ（０．００４〜０．００６インチ）の間の線径のステンレス鋼ワイヤーを有するガラスポリエステルＤＲＥＦ糸が使用されている。このワイヤーは中心コアーのガラス糸組合わされ、ＤＲＥＦ処理を使用して織られていないポリエステルの外側シースで覆われる。
本発明による製品の製造において、スリーブ材料はシートまたはテープの形状に織上げられた後、加熱室１５の入口に反対されている周知の構造のスロット付き折曲げ装置１４の螺旋状に延在する溝内を給送することにより、それ自体の端部が隣接するか重なる関係状態に形成される。高温空気がダクト１６を通して供給され、重合体の温度をガラスの繊維温度または軟化温度より高い温度まで上昇させる。成形された製品は加熱室から取出され、冷却室１７内で冷却される。加熱室から成形された製品が取出されて冷却室１７内で冷却されるとき、それ自体の端部が隣接するか重なる関係状態となる位置で重合体はフィラメント材を再結晶化させ、すなわち歪みを与え、端部はその位置に従動的に保持されるようにバイアスされる。歪みの付与に続いて、スリーブは被覆浴を通して移動され、被覆浴においてローム・アンド・ハース・カンパニー社によってエクスフレックス（ＥｘＦｌｅｘ）なる登録商標のもとに販売されているアクリル塩のような周知の飽和剤（saturant）の被覆が付与されて、ガラス繊維の縦糸をシールして本体を形成すると共に端部のほつれをさらに減少させるようになされる。
また理解すべきは、マンドレル上に材料を緊締し、その後加熱室１５内に位置されて軟化するように加熱され、その後再結晶化される、すなわち歪みを与えられることによって、適当な結果が得られるということである。
本発明の他の実施例の製品は１本以上のステンレス鋼の充填（横）ワイヤーを含んで成り、それらのワイヤーは限定されて、または他の糸またはフィラメントと組合わされて使用されるいずれの形態とされることができる。この製品は有ひ織機で織上げ、織上げ工程時に使用される充填（横）糸に張力を掛けることによって、スリーブ形状に形成されることが有利である。これは供給スプール上の充填（横）ワイヤーを事前に緊張させることで好ましく達成されるのであり、これは張力の解除されたときにワイヤーが自然にフープ形状を形成するようにさせる。さらにこれは、その材料が有ひ織機から取出されたときに、スリーブが側端部を突き合わせて、または重ね合わせて実質的に円筒形状となるように強制する。
上述した各々の実施例において、閉じた状態にバイアスされ、優れた熱特性を有するスリーブが製造された。これらのスリーブは、既に所定位置に配置された細長い基材のために優れた熱特性を与え、特に排出ガスの再循環装置のような不規則形状の熱源を断熱するのに有用である。ガラス繊維および重合被覆で構成されたハイブリッド糸は重合部材の熱保護を行い、織物端部のほつれを減少させる。ワイヤーは要求されるような温度能力を高めた製品を与える。本発明によって作られた製品は箔のような反射被覆を備えることができ、この被覆は製品の内面または外面に積層されて熱保護能力を向上させることができる。
【図１】
0004030585.tif 000002
【図２】
0004030585.tif 000003